(57)【要約】患者の身体部位のサイズに関連する第１のパラメータを直接的または間接的に測定して身体部位の実際の測定値を取得すること；患者の事前定義された代替パラメータを測定することにより、代替パラメータと身体部位のサイズとの間の数学的関係に基づいて計算される前記患者の身体部位のサイズに関連する第１のパラメータの推定測定値を取得すること；および患者の身体部位の実際の測定値と推定測定値を相関させて、身体部位における体液貯留を評価すること；によって、患者の身体部位における体液貯留を識別する方法。
2021535787.tif 000002
【特許請求の範囲】
【請求項１】
患者の身体部位における体液貯留を識別する方法であって、
患者の身体部位のサイズに関連する第１のパラメータを測定して、前記身体部位の実際の測定値を取得すること、
前記患者の身体部位のサイズに関連する前記第１のパラメータの推定測定値を取得すること、および
前記身体部位における体液貯留を評価するために前記患者の身体部位の実際の測定値と推定測定値を相関させること
を含み、
前記測定は、第１のパラメータの測定値をもたらすための前記身体部位の三次元イメージングを含み、
前記第１のパラメータのための三次元イメージングは、実際の身体部位に基づく複数のモーフパラメータを有する第１の可変形状モデルを提供し、これを、事前定義されたパラメータおよび体液貯留に基づく第２のモデルを含む推定測定値と比較することを特徴とする、方法。
【請求項２】
三次元データを前記身体部位の三次元モデルと関連付けることをさらに含む、請求項１に記載の方法。
【請求項３】
前記第２のモデルが、母集団から導出されたパラメータに基づく、請求項１または２に記載の方法。
【請求項４】
前記第２のモデルが体液貯留を含まない、請求項１、２または３に記載の方法。
【請求項５】
前記第２のモデルが複数のモーフパラメータを有する、請求項１〜４のいずれか一項に記載の方法。
【請求項６】
前記推定測定値が、全体的な患者の身長、体重、および／または生体インピーダンスに従って調整される、請求項１に記載の方法。
【請求項７】
患者における体液貯留の変化を追跡するために、時間をおいて繰り返し測定値を取得および処理することをさらに含む、請求項１に記載の方法。
【請求項８】
前記身体部位が足である、請求項１に記載の方法。
【請求項９】
該方法がコンピュータに実装され、身体部位の実際の測定値と推定測定値との間の特定された差に基づいて患者の健康状態およびリスクを評価および／または伝達することをさらに含む、請求項１に記載の方法。
【請求項１０】
患者の身体部位における体液貯留を識別するためのシステムであって、該システムは、
身体部位の三次元イメージングを提供するための深度感知カメラ装置を含み、三次元データを身体部位の三次元モデルと関連付けて実際の身体部位に基づく第１のパラメータの測定値をもたらす測定機器と、
身体部位の実際の測定値を身体部位の前記パラメータの推定測定値と比較するように構成された測定データ比較ユニットであって、前記推定測定値は第２のモデルを含み、該第２のモデルは事前定義されたパラメータおよび体液貯留に基づく、比較ユニットと、
前記比較ユニットにより実際の測定値と推定測定値を比較した結果に基づいて患者の身体部位の体液貯留を決定するように構成された診断ユニットと
を含む、システム。
【請求項１１】
前記深度感知カメラ装置が、少なくとも１つのエミッタおよび１つの検出器アレイ、または少なくとも２つの検出器アレイを含む、請求項１０に記載のシステム。
【請求項１２】
前記測定機器が、前記第１のパラメータのための三次元イメージングから実際の身体部位に基づく複数のモーフパラメータを有する第１の可変形状モデルを提供するように構成される、請求項１０または１１に記載のシステム。
【請求項１３】
前記測定データ比較ユニットが、複数のモーフパラメータを有する前記第２のモデルを含む推定測定値を提供するように構成される、請求項１０〜１２のいずれか一項に記載のシステム。
【発明の詳細な説明】
【技術分野】
【０００１】
本発明は、足などの身体部位における体液貯留を識別するためのシステムおよび方法に関する。
【背景技術】
【０００２】
浮腫は、体の一部が過剰な水分を保持する、多くの病気で重要な症状である。これは、心不全（入院の半分以上で末梢性浮腫または足の腫れ（むくみ）が観察される）やがん（リンパ浮腫ががん治療の合併症となることが多い）などの多くの疾患で重要である。
【０００３】
浮腫を測定するための最も一般的な方法は、親指を患部に数秒間押し付けてからはずし「圧痕（pitting）」を観察することであり、内部組織液がゆっくりと「圧痕」を埋めるため、浮腫が存在すれば結果として生じるくぼみまたは「圧痕」がゆっくりと充満される。この方法の難しさは、試験の局所的な性質と、圧痕の深さおよび再充満（refilling）の速度の等級付けの困難性により、定量的な測定が不可能なことである。
【０００４】
他の一般的に使用される方法は、患部の周囲長または容積を測定し、これを経時的に追跡することである。これらのアプローチは定量的尺度を提供するが、この特定患者のベースラインが分からなければ、特に肥満患者の場合、単一の測定に対する浮腫の影響を定量化することは困難である。リンパ浮腫によく見られる片側性浮腫の場合、患肢の測定値を反対側の肢と比較（例えば、左足と右足を比較）することができ、その場合、容積（または周囲長）の違いは定量的であり、かつ浮腫自体に特異的である。
【発明の概要】
【発明が解決しようとする課題】
【０００５】
本発明の目的は、多様な疾患に関連する浮腫の徴候であり得る足などの身体部位における体液貯留を識別するための改善されたシステムおよび方法を提供することである。
【課題を解決するための手段】
【０００６】
この目的のために、本発明の第１の態様は、患者の身体部位における体液貯留を識別する方法を提供し、この方法は、
患者の身体部位のサイズに関連する第１のパラメータを直接的または間接的に測定して、身体部位の実際の測定値（actual measurement）を取得すること、
患者の事前定義された代替パラメータを測定することによって、患者の身体部位のサイズに関連する前記第１のパラメータの推定測定値であって前記代替パラメータと身体部位のサイズとの間の数学的関係に基づいて計算される推定測定値（estimated measurement）を取得すること、および
患者の身体部位の実際の測定値と推定測定値を相関させて、身体部位における体液貯留を評価すること
を含む。
【０００７】
好ましくは、第１のパラメータを測定するステップは、身体部位の容積、厚さ、または周囲長を直接的または間接的に測定することを含み、より好ましくは、身体部位の容積、厚さ、または周囲長を得るための身体部位のイメージング（画像化）を含む。
【０００８】
本発明の好ましい実施形態では、前記身体部位のイメージングは、第１のパラメータの測定値をもたらすための身体部位の３次元イメージングを含み、好ましくは３次元データを身体部位の３次元モデルと関連付けることを含む。
【０００９】
この方法は、数学的モデリングシステムを使用して両方の測定値のセットを実質的に同時に抽出して、母集団から導出されたモデルパラメータに基づいて実際のモデルと推定モデルを提供すること、およびそれらモデルを比較して、実際のモデルが身体部位における体液貯留を識別するか否かを決定することをさらに含み得る。第１の容積は、実際の身体部位に基づく複数のモーフパラメータ（morph parameter）を有する第１の可変形状モデル（deformable model）を提供することによって得ることができ、これを、複数のモーフパラメータを有する第２のモデルなど、事前定義されたパラメータと体液貯留とに基づく第２のモデルであって体液貯留のないまたは既知の体液貯留量を有する集団から導出された値（population-derived values）を表す事前定義されたパラメータに基づく第２のモデルと比較し、これにより、体液貯留のない身体部位の形状を推定しながら、その患者の全体的構造（general structure）を適切にモデル化することを可能にし、さらに任意選択で、第１の容積と推定容積との差を計算して患者の身体部位における体液貯留を評価する。
【００１０】
本発明によれば、第１のパラメータを測定するステップは、身体部位の容積を直接的または間接的に測定することを含み得る。
【００１１】
第１のパラメータを推定するステップは、身体部位の他の複数のパラメータを測定して、これらの測定値に基づいて身体部位の容積を計算することにより、身体部位の容積を直接的または間接的に測定することを含み得る。好ましくは、推定測定値は、身体部位の容積に相関する事前定義された代替パラメータの測定に基づく身体部位の推定容積を含み、前記推定容積は、前記代替パラメータと身体部位との間の数学的関係に基づいて計算される。推定容積は、好ましくは、身体部位の長さ、身体部位の幅、身体部位の重量、身体部位の高さ、身体部位の密度、および身体部位の周囲長のうちの１つまたは複数から選択される測定値に基づいて計算される。前記推定容積は、全体的な患者の身長、体重、および／または生体インピーダンスに従って調整され得る。
【００１２】
本発明による方法は、患者における体液貯留の変化を追跡するために、時間をおいて繰り返し（経時的に）測定値を取得および処理することを含み得る。この方法は、コンピュータに実装され、身体部位の実際の測定値と推定測定値との間の特定された差に基づいて患者の健康状態およびリスクを評価および／または伝達（communicate）することをさらに含んでいてよい。
【００１３】
好ましくは、身体部位は足である。
【００１４】
本発明の第２の態様によれば、患者の身体部位における体液貯留を識別するためのシステムが提供され、このシステムは、
患者の身体部位のサイズに関連する第１のパラメータを直接的または間接的に測定するための測定機器であって、身体部位の実際の測定値を提供する測定機器と、
身体部位の実際の測定値を身体部位の前記パラメータの推定測定値と比較するように構成された測定データ比較ユニットであって、推定測定値は、患者の代替パラメータの測定に基づき、かつ前記代替パラメータ間の数学的関係に基づいて計算される、測定データ比較ユニットと、
比較ユニットによる比較の結果に基づいて患者の身体部位における体液貯留を決定するように構成された診断ユニットと
を含む。
【００１５】
測定機器は、好ましくは、深度感知カメラ装置を含む。深度感知カメラ装置は、少なくとも１つのエミッタおよび１つの検出器アレイ、または少なくとも２つの検出器アレイを備えていてよい。
【図面の簡単な説明】
【００１６】
【図１】浮腫のある患者および浮腫のない患者の足長に対する足容積を示すグラフである。
【図２】患者の浮腫特有のモーフがない足（図の左側に表示）および浮腫特有のモーフがある足（図の右側に表示）の３Ｄイメージングによって作成された足モデルである。
【発明を実施するための形態】
【００１７】
本発明者の同時係属中の出願（ＧＢ２５４２１１４Ｂ）に記載されている当社の３Ｄ四肢容積測定システムの臨床的有効性を評価する過程で、本発明者は驚くべきことに、２つの容積の違いにより、手足における浮腫の徴候である体液貯留の著しく定量的な単一測定値（寸法）を得ることが可能であることを見出した。
【００１８】
第１の容積は、患者の対象身体部位から最も直接的に観察されるものである（たとえば、３Ｄイメージング、または水置換法、または複数の周囲長測定からの円柱セグメント容積の推定、または当技術分野で知られている任意の他の方法による）。第２の容積は、患者の特定の測定されたパラメータ（例えば、患者の身長、体重、および骨の長さ）の間の数学的関係に基づいて計算され、対象身体部位の容積の推定値をもたらすものであり、その数学的関係は、理想的には、浮腫はないが体脂肪の変動などの交絡因子に十分な変動がある、より一般的な患者集団に関連する推定値を提供する。
【００１９】
第１の容積測定の簡単な例は、満たされたバケツの水の中に患者が立ったときの水の変位によって、地面から２０ｃｍの高さまでの患者の足容積をミリリットル（ｍＬ）単位で測定することである。これにより、足の総容積の正確な（行うのは簡単ではないが）測定値が提供される。
【００２０】
第２の容積測定の簡単な例は、高さ２０ｃｍまでの足容積を、足の親指の先から踵の後ろまで測定した足長に関連付けることであり、容積推定値（ｍＬ）は、足長（ｃｍ）の６０倍である。
【００２１】
これらの２つの測定値の差、容積１から容積２を引いたものは、心不全集団の患者を、外来予約時に臨床医によって圧痕性浮腫が存在すると判断された患者と存在しないと判断された患者に分類するのに驚くほど有効な数値を与える。圧痕性浮腫があると臨床的に評価された患者の８０％以上が、この尺度によって正（プラス）の容積差を有していたが、一方、圧痕性浮腫がないと臨床的に評価されたまたは健康なボランティアとして参加した患者の８０％以上は、この尺度によって負（マイナス）の容積差を有していた。さらに、この差の大きさは、患者における浮腫の程度の主観的な臨床的等級付けとよく相関した。
【００２２】
図１は、臨床医による浮腫状態の評価によって分けた、足長と足容積のチャートを示す。
【００２３】
当然、足長のみに基づく関係は、体脂肪率に起因する誤差が生じやすい。たとえば患者の身長および体重または生体インピーダンスを含むより複雑なモデルは、例えば交絡因子としての体脂肪の存在下で、浮腫とのより良い相関関係を当然に提供する。
【００２４】
代替の好ましいアプローチは、単一の数学的モデリングシステムを使用して、両方の容積セットを一度に抽出することである。たとえば、３Ｄカメラシステムを使用する場合、一般に、カメラから収集された観測された３Ｄ点に可変形状モデルを適合させることが可能である。目的は一般に、仮想モデル表面上の点と観測された３Ｄ点との差を最小にするために、例えば骨の関節の角度や長さなどの特定のモデルパラメータの調整を可能にすることである。このようなモデルは、典型的には、モデルの形状を調整するパラメータも含み、これは３Ｄレンダリングコミュニティでは「モーフ」と呼ばれることが多く、それは、たとえば、仮想の骨の周りの肉のボリュームを変更し、肉のボリュームをある数値範囲にわたりスケーリングすることを可能にする。
【００２５】
同じ心不全患者集団でこのようなモデルを構築およびテストしたところ、これらの「モーフ」の一部は、他の「モーフ」よりも浮腫の主観的な臨床的等級付けと非常に強く相関することが分かった。たとえば、足のくるぶしを本質的に平らにする足首の周りのボリューム変化は、患者のＢＭＩとよりも浮腫の臨床的等級付けとより強く相関することが見出された。
【００２６】
図２は、特定の患者について、浮腫特有の「モーフ」を適用していない左側と、これらのモーフを適用した右側の、このような３次元足モデルを示す。くるぶしの骨の周りの追加の質量が右のモデルで特に明白である。
【００２７】
さらに、体液貯留、ひいては浮腫を減らすことを目的として利尿薬治療のコースを受けている間に、心不全試験中の多くの患者をモニタリングした。したがって、どの「モーフ」が特定患者の経時的な足容積の変化（浮腫の徴候である体液貯留との直接的な相関性を示す）と相関するかを観察することができた。
【００２８】
したがって、浮腫推定へのアプローチが可能とされ、第１の容積を提供するために、観察された３Ｄ足データは、すべてのモーフパラメータを自由に変更できる可変形状モデルを使用してモデル化された。次に、浮腫と相関することがわかったそれらモーフの値を母集団の平均値にリセットすることにより、第２の容積を計算した。これにより、浮腫のない足の形状を推定しながら、この特定患者の足の全体的構造を適切にモデル化することが可能となる。この手法で計算された２つの容積の差は、利尿薬治療を受けている患者における浮腫の経時変化に特に敏感であり、浮腫の主観的な臨床評価ともよく相関していることが分かった。
【００２９】
２つの容積の差は明らかに、さらに処理されてさまざまな有用な指標を提供できる。たとえば、さまざまな閾値容積差よりも大きいまたは小さい差を示す、臨床医が決定した浮腫を有する患者および浮腫を有さない患者の割合を表すことにより、特定の容積差を示す患者が臨床医によって浮腫を有すると評価される確率を推定することができる。これは、特に、本質的に確率論的である他の臨床指標と組み合わせた場合に、患者のリスクスコアリングおよびリスク層別化に役立つ。
【００３０】
本発明は、浮腫の徴候である体液貯留の数値尺度（numerical measure）を提供するのに診療所で有用であるだけでなく、適切な方法（３Ｄカメラなど）を使用して実施される場合、患者の自宅から体液貯留の変化の尺度を提供することができる。これは、患者の病院予約へのまたは臨床チームによる患者への移動を節約できるだけでなく、遠隔医療システムの一部として実装された場合、患者の健康状態の悪化を警告することができる。このようなシステムは、心不全などの慢性疾患に対する現在の非常に高い再入院率をおそらく低下させ、実質的な医療リソースを節約するだけでなく、患者の生活の質を向上させる可能性がある。
【００３１】
容積間の「差」は、単純な減法の差である必要はなく、レシオメトリックであってよく、あるいは任意の数の統計的検定または他の数値比較の結果であってもよいことは明らかである。
【００３２】
厳密に容積を使用するのとは対照的に、本発明の実施形態では、容積に関連する多数のモデル出力を使用できることも明らかであろう。たとえば、前述の仮想３Ｄモデルでは、さまざまな場所で厚さまたは周囲長を仮想的に測定し、これらの仮想周囲長測定値を比較することができ、あるいは３Ｄモデルの表面積を比較することもできる。本発明の目的のために、これらのタイプの比較のすべては、特許請求の範囲の意味の範囲内で可能なサイズ比較の非限定的なリストと見なされるべきである。
【図１】
2021535787.tif 000003
【図２】
2021535787.tif 000004
【国際調査報告】
2021535787.tif 000005
2021535787.tif 000006